(57)【特許請求の範囲】
【請求項１】
容器本体に蓋体をねじ結合により装着可能な蓋付き容器であって、
前記容器本体及び前記蓋体のうちの一方には、前記ねじ結合のためのねじ条の先端部分を分離する切り欠きが形成されており、他方には、前記容器本体に前記蓋体を装着するねじ締め操作の終わりで前記切り欠きに嵌合する突起部が形成されており、
前記切り欠きによって分離された前記ねじ条の先端部分の上縁及び下縁が共に、そのねじ条の残りの部分の上縁及び下縁のそれぞれの延長線よりも下方及び上方にそれぞれ位置すること
を特徴とする蓋付き容器。
【請求項２】
請求項１に記載の蓋付き容器であって、
前記ねじ結合は、複数本のねじ条で形成される多条ねじのねじ結合であり、そのうちの一部又は全部の複数本のねじ条に前記切り欠きが形成され、各切り欠きに対応する前記突起部が少なくとも形成されていること
を特徴とする蓋付き容器。
【請求項３】
請求項１又は請求項２に記載の蓋付き容器であって、
薬剤を収容した状態で振って使用するものであること
を特徴とする蓋付き容器。
【発明の詳細な説明】
【技術分野】
【０００１】
本発明は、容器本体に蓋体をねじ結合により装着可能な蓋付き容器に関する。
【背景技術】
【０００２】
従来、この種の蓋付き容器では、蓋体が容器本体に確実に装着されたことをユーザが感知できるようにするため、蓋体を容器本体に装着するねじ締め操作の終わりで、蓋体を操作するユーザの手にクリック感を与える工夫がなされている。
【０００３】
例えば特許文献１に記載の蓋付き容器では、蓋体の内周面のねじ条に、その始端部側の先端部分を分離する切り欠きが形成されている。一方、容器本体の外周面のねじ条の終端部には、容器本体に蓋体を装着するねじ締め操作の終わりで、蓋体の切り欠きに嵌合する突起部が形成されている。このような構造によれば、容器本体の突起部が、切り欠きによって分離された蓋体のねじ条の先端部分を乗り越えて、切り欠きに嵌合する際にクリック感が得られる。
【先行技術文献】
【特許文献】
【０００４】
【特許文献１】特開２００１−１９０００号公報
【発明の概要】
【発明が解決しようとする課題】
【０００５】
前述した特許文献１に記載の構造では、切り欠きによって分離されたねじ条の先端部分を適切な長さに設計することで、十分なクリック感が得られるようにすることができる。しかしながら、十分なクリック感が得られる程度にねじ条の先端部分を長く設計すると、容器本体に対して蓋体を着脱するために必要なトルクが大きくなり、蓋体の着脱操作を容易に行うことができなくなるという問題があった。かといって、着脱操作を容易に行うことができる程度にねじ条の先端部分を短く設計するとクリック感が大きく損なわれてしまう。
【０００６】
本発明は、こうした問題にかんがみてなされたものであり、容器本体に蓋体を装着した際に十分なクリック感が得られるようにしつつ、容器本体に対する蓋体の着脱操作を容易に行うことができるようにすることを目的としている。
【課題を解決するための手段】
【０００７】
第１の構成の蓋付き容器は、容器本体に蓋体をねじ結合により装着可能なものである。容器本体及び蓋体のうちの一方には、ねじ結合のためのねじ条の先端部分を分離する切り欠きが形成されており、他方には、容器本体に蓋体を装着するねじ締め操作の終わりで切り欠きに嵌合する突起部が形成されている。そして、切り欠きによって分離されたねじ条の先端部分は、そのねじ条の残りの部分よりも幅が狭く形成されている。
【０００８】
このような蓋付き容器によれば、切り欠きによって分離されたねじ条の先端部分が、そのねじ条の残りの部分と同じ幅に形成されている構造と比較して、クリック感が損なわれにくくしつつ、容器本体に対して蓋体を着脱するために必要なトルクを下げることができる。すなわち、前述したように、トルクを下げるためにねじ条の先端部分を短く設計するとクリック感が大きく損なわれてしまう。また、別の手法として、ねじ条の先端部分の高さ（突出高さ）を残りの部分よりも低くすることも考えられるが、やはりクリック感が大きく損なわれてしまう。
【０００９】
これに対し、本発明のように、ねじ条の先端部分の幅を狭く形成した構造によれば、ねじ条の先端部分と突起部との接触面積を減らすことでトルクを下げることができる。しかも、ねじ条の先端部分を乗り越える際の突起部の軌道自体は変わらないため、クリック感を損なわれにくくすることができる。
【００１０】
また、第２の構成の蓋付き容器は、複数本のねじ条で形成される多条ねじのねじ結合により容器本体に蓋体を装着可能なものであり、そのうちの一部又は全部の複数本のねじ条に切り欠きが形成され、各切り欠きに対応する突起部が少なくとも形成されている。このような蓋付き容器によれば、切り欠き及び突起部がそれぞれ１つずつの構造に比べて、クリック感を増すことができるとともに、容器本体に対する蓋体の装着状態を安定させることができる。
【００１１】
また、第３の構成の蓋付き容器は、薬剤を収容した状態で振って使用するものである。このような用途の蓋付き容器は、蓋体が容器本体に確実に装着されていないと、容器を振っている途中で薬剤が外へ漏れだしてしまうことになる。また、容器本体から蓋体を取り外すために必要なトルクが大きいと、蓋体を取り外す際に勢いがついて薬剤がこぼれてしまうことが考えられる。この点、本発明の蓋付き容器によれば、蓋体を容器本体に装着した際に十分なクリック感が得られるため、ユーザは蓋体が容器本体に確実に装着されたことを感知することができ、安心して使用することができる。しかも、容器を振った後には蓋体を容易に取り外すことができるため、蓋体を取り外す際に薬剤がこぼれてしまうことを防ぐことができる。
【図面の簡単な説明】
【００１２】
【図１】（ａ）は実施形態の蓋付き容器の上面図、（ｂ）はその正面図である。
【図２】（ａ）は実施形態の容器本体における上部の拡大図、（ｂ）は比較例の容器本体における上部の拡大図である。
【図３】上方から見た容器本体の外観図である。
【図４】（ａ）は側方から見た蓋体の断面図、（ｂ）は下方から見た蓋体の外観図である。
【発明を実施するための形態】
【００１３】
以下、本発明が適用された実施形態について、図面を用いて説明する。
図１（ａ）は実施形態の蓋付き容器の上面図、図１（ｂ）はその正面図である。
この蓋付き容器は、ヘアカラー剤である複数の（例えば２剤式の）薬剤を収容した状態で振って（シェイクして）混合するための容器であり、容器本体１０と蓋体２０とからなる。なお、このような用途の容器自体は市販されており公知である。
【００１４】
容器本体１０は、円形の底面及び概略円筒状の側面を有するとともに上面が開放された形状の樹脂成形品（例えばポリプロピレン（ＰＰ）製）であり、上面（開放面）へ向かってやや広がった形状に形成されている。
【００１５】
図２（ａ）は容器本体１０における上部の拡大図、図３は上方から見た容器本体の外観図である。容器本体１０における上部（開放部）には円筒状の口部１１が形成され、その外周面には４本の本体側ねじ条（らせん状に延びる凸部）１２が形成されており、これら４本の本体側ねじ条１２により４条ねじが形成されている。
【００１６】
４本の本体側ねじ条１２のうち、対角位置の２本の本体側ねじ条１２には、その上端側（始端側）の先端部分（以下「ストッパ１４」と称する。）と残りの部分とを分離する切り欠き１３がそれぞれ形成されている。つまり、切り欠き１３及びストッパ１４は、円周方向に沿って等間隔となる２箇所に形成されている。
【００１７】
各ストッパ１４は、図２（ａ）に示すように、切り欠き１３によって分離された本体側ねじ条１２の残りの部分（以下、単に「本体側ねじ条１２」と称する。）に比べ、幅が狭く形成されている。すなわち、図２（ｂ）の比較例に示すように、単に切り欠き１３を形成しただけでは本体側ねじ条１２とストッパ１４とは同じ幅となるが、本実施形態の構造（図２（ａ））では、比較例（図２（ｂ））の構造に比べてストッパ１４の幅を狭くしている。具体的には、本実施形態の構造は、比較例の構造のストッパ１４における下側部分を削除した形状であり、ストッパ１４の上縁が本体側ねじ条１２の上縁の延長線上に位置し、下縁が本体側ねじ条１２の下縁の延長線よりも上方に位置している。
【００１８】
また、図３の部分拡大図に示すように、各ストッパ１４の高さ方向の形状は、切り欠き１３側の傾斜１４ｂが急である（換言すれば、最大高さに至る円周方向の長さが短い）のに対し、その反対側の傾斜１４ａが緩やかに（換言すれば、最大高さに至る円周方向の長さが長く）形成されている。
【００１９】
一方、図４（ａ）は側方から見た蓋体２０の断面図、図４（ｂ）は下方から見た蓋体２０の外観図である。
蓋体２０は、下面が開放された概略半球状の樹脂成形品（例えば高密度ポリエチレン（ＨＤＰＥ）製）である。蓋体２０における下部（開放部）には、円筒状の裾部２１が形成されており、その内周面には、円周方向に沿って等間隔となる４箇所に蓋側ねじ条（本体側ねじ条１２に比べて短く形成されたらせん状に延びる凸部）２２が形成されている。これらの蓋側ねじ条２２を本体側ねじ条１２に沿わせる形で蓋体２０を回転させる操作（ねじ締め操作）を行うことで、蓋体２０を容器本体１０にねじ結合により装着可能となっている。
【００２０】
また、裾部２１の内周面には、円周方向に沿って等間隔となる４箇所にリブ（突起部）２３が形成されている。リブ２３は、半径方向内側に突出するとともに（図４（ｂ）の部分拡大図参照）、上下方向に直線状に延びた形状であり（図４（ａ）参照）、蓋体２０を容器本体１０に装着するねじ締め操作の終わりで切り欠き１３に嵌合する位置に（４つのリブ２３のうち対角位置の２つのリブ２３が、２つの切り欠き１３のそれぞれに対応するように）形成されている。このため、蓋体２０を容器本体１０に装着するねじ締め操作の終わりに、リブ２３がストッパ１４を乗り越えて切り欠き１３に嵌合することでクリック感（感触及び音）が得られるとともに、容器本体１０に対する蓋体２０の回転が規制される。
【００２１】
このような蓋付き容器によれば、ストッパ１４が本体側ねじ条１２と同じ幅に形成されている構造（図２（ｂ））と比較して、クリック感が損なわれにくくしつつ、容器本体１０に対して蓋体２０を着脱するために必要なトルクを下げることができる。すなわち、ストッパ１４の幅を本体側ねじ条１２よりも狭く形成した本実施形態の構造（図２（ａ））によれば、ストッパ１４とリブ２３との接触面積を図２（ｂ）の構造よりも減らすことができるため、トルクを下げることができる。しかも、ストッパ１４を乗り越える際のリブ２３の軌道自体は図２（ｂ）の構造と変わらないため、クリック感を損なわれにくくすることができる。
【００２２】
また、ストッパ１４の高さ方向の形状は、切り欠き１３側の傾斜１４ｂが急であるのに対し、その反対側の傾斜１４ａが緩やかに形成されている（図３）。このため、蓋体２０を容器本体１０に装着する際には、リブ２３がストッパ１４（傾斜１４ａ）を乗り越えやすく、容易に装着することができる。一方、蓋体２０を容器本体１０から取り外す際には、リブ２３がストッパ１４（傾斜１４ｂ）を乗り越えにくいため、ユーザの意に反して蓋体２０が容器本体１０から外れてしまうことを生じにくくすることができる。
【００２３】
また、本実施形態の蓋付き容器は、４本の本体側ねじ条１２からなる４条ねじのねじ結合により容器本体１０に蓋体２０を装着可能なものであり、４本の本体側ねじ条１２のうち、対角位置の２本の本体側ねじ条１２のそれぞれに切り欠き１３が形成され、各切り欠き１３に対応するリブ２３が形成されている。このため、切り欠き１３及びリブ２３が容器本体１０及び蓋体２０のそれぞれに１つずつ形成された構造に比べて、クリック感を増すことができるとともに、容器本体１０に対する蓋体２０の装着状態を安定させることができる。
【００２４】
特に、本実施形態の蓋付き容器は、ヘアカラー剤である複数の薬剤を収容した状態で振って（シェイクして）混合するための容器であり、蓋体２０が容器本体１０に確実に装着されていないと、容器を振っている途中で薬剤が外へ漏れだしてしまうことになる。また、トルクが大きいと、蓋体２０を容器本体１０から取り外す際に勢いがついて薬剤がこぼれてしまうことが考えられる。この点、本実施形態の構造であれば、蓋体２０を容器本体１０に装着した際に十分なクリック感が得られるため、ユーザは蓋体２０が容器本体１０に確実に装着されたことを感知することができ、安心して使用することができる。しかも、容器を振った後には蓋体２０を容易に取り外すことができるため、蓋体２０を取り外す際に薬剤がこぼれてしまうことを防ぐことができる。
【００２５】
以上、本発明の実施形態について説明したが、本発明は、上記実施形態に限定されることなく、種々の形態を採り得ることは言うまでもない。
例えば、上記実施形態では、４本の本体側ねじ条１２のうち、一部（上記実施形態では対角位置の２本）の本体側ねじ条１２のそれぞれに切り欠き１３及びストッパ１４が形成されているが、これに限定されるものではなく、すべての本体側ねじ条１２に切り欠き１３及びストッパ１４を形成してもよい。
【００２６】
また、上記実施形態では、本体側ねじ条１２が４条ねじに形成されているが、これに限定されるものではなく、１条ねじでも、４条ねじ以外の多条ねじでもよい。
また、上記実施形態では、ストッパ１４の上縁が本体側ねじ条１２の上縁の延長線上に位置し、下縁が本体側ねじ条１２の下縁の延長線よりも上方に位置しているが、これに限定されるものではない。例えば、上記実施形態とは逆に、ストッパ１４の下縁が本体側ねじ条１２の下縁の延長上に位置し、上縁が本体側ねじ条１２の上縁の延長線よりも下方に位置する形状でもよい。また、ストッパ１４の上縁及び下縁が共に本体側ねじ条１２の上縁及び下縁のそれぞれの延長線よりも下方及び上方にそれぞれ位置する形状でもよい。また、ストッパ１４が円周方向に沿った切り欠き（溝）によって複数本に分割されていてもよい。これらのいずれの形状であっても、ストッパ１４とリブ２３との接触面積を図２（ｂ）の構造よりも減らすことができるため、容器本体１０に対して蓋体２０を着脱するために必要なトルクを下げることができる。
【００２７】
また、上記実施形態では、容器本体１０側に切り欠き１３が形成され、蓋体２０側にリブ２３（突起部）が形成されているが、これとは逆に、蓋体側に切り欠きを形成し、容器本体側に突起部を形成することも可能である。
【００２８】
また、上記実施形態の蓋付き容器は、ヘアカラー剤である複数の薬剤を収容した状態で振って混合するための容器であるが、収容される薬剤はこれに限定されるものではない。例えば、複数剤ではなく１種類（１剤式）の薬剤を収容した状態で振って使用するものであってもよく、例えば薬剤を泡立てる用途などで利用可能である。また、ヘアカラー剤以外の薬剤にも利用することができる。
【符号の説明】
【００２９】
１０…容器本体、１１…口部、１２…本体側ねじ条、１３…切り欠き、１４…ストッパ、２０…蓋体、２１…裾部、２２…蓋側ねじ条、２３…リブ
【図１】
0005946239.tif 000002
【図２】
0005946239.tif 000003
【図３】
0005946239.tif 000004
【図４】
0005946239.tif 000005